(57)【要約】【課題】  ペットが排泄をするためにトイレ室に入室した場合と、人が用を足すためにトイレ室に入室した場合とをそれぞれ確認して、ペットが排泄できる状態にしたり、あるいは人が用をたすことができる状態に切り替え、共通のトイレ室内で、ペット、人がそれぞれ間違うことなく用を足せるようにする。【解決手段】  トイレ室１に、便蓋２ａを開閉自在に設けた人用の便器３ａと、便蓋２ｂを開閉自在に設けたペット用の便器３ｂとを設ける。人のトイレ室１内への入室を検知するための人検知手段４と、ペットのトイレ室１内への入室を検知するためのペット検知手段５とを備える。人検知手段４、ペット検知手段５からの検知信号により人用の便器３ａの便蓋２ａとペット用の便器３ｂの便蓋２ｂとを選択して開くようになっている。【選択図】      図１
2005211164.tif 000002
【特許請求の範囲】
【請求項１】
トイレ室に、便蓋を開閉自在に設けた人用の便器と、便蓋を開閉自在に設けたペット用の便器とを設け、人のトイレ室内への入室を検知するための人検知手段と、ペットのトイレ室内への入室を検知するためのペット検知手段とを備え、人検知手段、ペット検知手段からの検知信号により人用の便器の便蓋とペット用の便器の便蓋とを選択して開くようになっていることを特徴とするトイレ装置。
【請求項２】
人用の便器とペット用の便器とが共通の排水管に接続してあることを特徴とする請求項１記載のトイレ装置。
【請求項３】
トイレ室に設けた便器に上から順に便蓋、ペット用の便座、人用の便座を開閉自在に取付け、人のトイレ室内への入室を検知するための人検知手段と、ペットのトイレ室内への入室を検知するためのペット検知手段とを備え、ペット検知手段によるペットの検知信号により便蓋を開き、人検知手段による人の検知信号により便蓋とペット用の便座を開くようになっていることを特徴とするトイレ装置。
【請求項４】
人検知手段、ペット検知手段からの検知信号により消臭手段を運転することを特徴とする請求項１乃至請求項３のいずれかに記載のトイレ装置。
【発明の詳細な説明】
【技術分野】
【０００１】
本発明は、人用とペット用のトイレ装置に関するものである。
【背景技術】
【０００２】
ペット用のトイレ装置については、屋内用途で古くより様々な方法が試みられている。屋内用として、パン状、もしくは薄い箱状のもので、内部に砂、砂利や、吸収剤を備えたものを中心にして、一般的に床置きすることで、使用されている。この従来例にあっては、少なくとも住居空間内、例えば、廊下、洗面室、勝手土間等に設置され、ペットが使用した際には、臭気が発生するという問題がある。また、視覚的にも排泄物が見えることで著しく住居空間内の内観を損なうという問題があった。
【０００３】
また、ペット用のトイレ装置について、トイレ装置の設置場所を問わず、そのトイレ装置にて排泄物が発生した場合には、排泄物を除去する、あるいは排泄物を吸収、含有、付着した砂利材や吸収剤を廃棄する必要があった。この場合、廃棄の手間や、補充に必要とする費用が日常的に発生していた。
【０００４】
また、二重プラスチック製容器にガラス玉を入れ、ペットがガラス玉上で用便をすると、セパレータで汚物とガラス玉を分別し、ガラス玉のみを洗浄してもとの容器内に戻すようにしたものが特許文献１により知られている。
【０００５】
この特許文献１に示されたものはガラス玉を洗浄して再使用するので、汚れたガラス玉を廃棄する必要はないが、このものにおいても、依然としてガラス玉が必要であり、また、ガラス玉が入った容器は常に開口したままの状態であり、常にペットが用を足すためのガラス玉が見えて視覚的に著しく住居空間内の内観を損なうという問題が残っている。
【特許文献１】特開２００３−２７４７８６号公報
【発明の開示】
【発明が解決しようとする課題】
【０００６】
本発明は上記の従来の問題点に鑑みて発明したものであって、ペットの排泄する場所を人間が排泄する空間であるトイレ室で兼用して居住空間内の内観を損なうことがなく、しかも、ペットが排泄をするためにトイレ室に入室した場合と、人が用を足すためにトイレ室に入室した場合とをそれぞれ確認して、ペットが排泄できる状態にしたり、あるいは人が用をたすことができる状態に切り替え、共通のトイレ室内で、ペット、人がそれぞれ間違うことなく用を足せるようにすることができるトイレ装置を提供することを課題とするものである。
【課題を解決するための手段】
【０００７】
上記課題を解決するために本発明に係るトイレ装置は、トイレ室１に、便蓋２ａを開閉自在に設けた人用の便器３ａと、便蓋２ｂを開閉自在に設けたペット用の便器３ｂとを設け、人のトイレ室１内への入室を検知するための人検知手段４と、ペットのトイレ室１内への入室を検知するためのペット検知手段５とを備え、人検知手段４、ペット検知手段５からの検知信号により人用の便器３ａの便蓋２ａとペット用の便器３ｂの便蓋２ｂとを選択して開くようになっていることを特徴とするものである。
【０００８】
このような構成とすることで、ペットがトイレ室１内に入室したことをペット検知手段５で検知すると、ペット用の便器３ｂの便蓋２ｂが開いてペットがペット用の便器３ｂで排泄することができ、一方、人がトイレ室１内に入室したことを人検知手段４で検知すると、人用の便器３ａの便蓋２ａが開いて人が人用の便器３ａで用を足すことができ、このように、ペットの排泄する場所を人間が排泄する空間であるトイレ室で兼用できて居住空間内の内観を損なうことがないものであり、しかも、トイレ室１内に入ったのが人であるか、ペットであるかをそれぞれ検知して、人、ペットそれぞれ専用の便器の蓋を開けて使用可能状態にすることができ、共通のトイレ室１において、人、ペットが用を足す（排泄する）ことができるようにしたにも係わらず、間違わないように使い分けができるものである。
【０００９】
また、人用の便器３ａとペット用の便器３ｂとが共通の排水管６に接続してあることが好ましい。
【００１０】
このような構成とすることで、人の排泄物を水洗で流す排水管６を利用して、ペットの排泄物も水洗で流すことができるものであって、別途特別なペット専用の排水管等を必要としない。
【００１１】
また、トイレ室１に設けた便器３に上から順に便蓋２、ペット用の便座７ｂ、人用の便座７ａを開閉自在に取付け、人のトイレ室１内への入室を検知するための人検知手段４と、ペットのトイレ室１内への入室を検知するためのペット検知手段５とを備え、ペット検知手段５によるペットの検知信号により便蓋２を開き、人検知手段４による人の検知信号により便蓋２とペット用の便座７ａを開くようになっていることを特徴とするものであってもよい。
【００１２】
このような構成とすることで、ペットがトイレ室１内に入室したことをペット検知手段５で検知すると、共通の便器３の便蓋２が開くので、ペットはペット用の便座７ｂ上に乗って排泄でき、一方、人がトイレ室１内に入室したことを人検知手段４で検知すると、共通の便器３の便蓋２、ペット用の便座７ｂが開くので、人は人用の便座７ａに座って排泄でき、このように、ペットの排泄する場所を人間が排泄する空間であるトイレ室で兼用できて居住空間内の内観を損なうことがないものであり、しかも、トイレ室１内に入ったのが人であるか、ペットであるかをそれぞれ検知して、共通の便器３を、人が使用できる状態や、ペットが使用できる状態に切り替えることができ、共通の便器３を使って人、ペットが用を足す（排泄する）ことができるようにしたにも係わらず、人、ペットとも間違わないように使用できるものである。
【００１３】
また、人検知手段４、ペット検知手段５からの検知信号により消臭手段８を運転することが好ましい。
【００１４】
このような構成とすることで、人やペットがトイレ室１に居ることを人検知手段４、ペット検知手段５により検知すると消臭手段８が運転して自動的に消臭するものであり、特に、ペットがトイレ室１で排泄しても、自動的に消臭できて、同じトイレ室１を人とペットとが共用すると言えどもペットの排泄の臭いがトイレ室１に残らないようにできる。
【発明の効果】
【００１５】
本発明は、ペットの排泄する場所を人間が排泄する空間であるトイレ室で兼用できるので、従来のように廊下などにペット用トイレを設置するものように居住空間内の内観を損なうことがなく、しかも、人検知手段、ペット検知手段からの検知信号によりペットが排泄をするためにトイレ室に入室した場合と、人が用を足すためにトイレ室に入室した場合とをそれぞれ確認して、ペットが排泄できる状態にしたり、あるいは人が用をたすことができる状態に切り替え、共通のトイレ室内で、ペット、人がそれぞれ間違うことなく用を足せるようにすることができるものである。
【発明を実施するための最良の形態】
【００１６】
以下、本発明を添付図面に示す実施形態に基いて説明する。
【００１７】
図１乃至図４には本発明の一実施形態が示してある。住宅のトイレ室１に、人用の便器３ａと、ペット用の便器３ｂとが別々に独立して設けてある。人用の便器３ａには人用の便座７ａと、人用の便蓋２ａとが開閉自在に取付けてある。また、ペット用の便器３ｂにはペット用の便座７ｂと、ペット用の便蓋２ｂとが開閉自在に取付けてある。図４に示すように、人用の便蓋２ａ、ペット用の便蓋２ｂはそれぞれ制御部１２からの制御信号により駆動するモータよりなる駆動手段１５ａ、駆動手段１５ｂにより電動で回動できるようになっている。人用の便座７ａは人が座って用を足すことができるようになっており、ペット用の便座７ｂはペットがペット用の便座７ｂに載った状態でペット用の便座７ｂに設けた中央孔部９ｂから排泄できるようになっており、したがって、ペット用の便座７ｂの中央孔部９ｂは人用の便座７ａの中央孔部９ａよりも小さいものである。
【００１８】
独立して設けられた人用の便器３ａと、ペット用の便器３ｂとは図１（ａ）に示すように、共通の排水管６に接続してある。また、図示を省略しているが、人用の便器３ａと、ペット用の便器３ｂは共通の給水管に接続してそれぞれ共通の給水管から供給するようにしてある。
【００１９】
トイレ室１には人が出入りするための人用出入口１０ａとペットが出入りするためのペット用出入口１０ｂとが設けてある。図２の実施形態では同図（ａ）のように人用出入口１０ａに人用のドア１１ａを開閉自在に設け、更にこの人用のドア１１ａの下部に同図（ｂ）に示すようにペット用出入口１０ｂを設けると共にドア１１ａの下部に設けたペット用出入口１０ｂにペット用のドア１１ｂを開閉自在に設けてある。また、図３の実施形態では人用出入口１０ａとペット用出入口１０ｂとをそれぞれ独立して別の位置に設け、人用出入口１０ａとペット用出入口１０ｂのそれぞれに人用のドア１１ａと、ペット用のドア１１ｂとを開閉自在に設けてある。いずれの実施形態においても、ペット用のドア１１ｂはトイレ室１内からペットが押しても、あるいはトイレ室１外からペットが押しても簡単に開いてペット用出入口１０ｂをペットが自由に通過できるような構成となっている。
【００２０】
そして、本発明においては、人がトイレ室１内に入室したことを検知するための人検知手段４と、ペットがトイレ室１内に入室したことを検知するためのペット検知手段５とを設けてある。
【００２１】
人検知手段４としては、例えば、赤外線センサであり、床面からペットの背丈よりも十分に高い位置でトイレ室１内における人の有無を検知するようになっている。したがって、トイレ室１内にペットが入室しても人検知手段４を構成する赤外線センサでは検出されないようになっている。
【００２２】
ペット検知手段５としては、例えは、ＩＣタグとリーダによりペット検知手段５を構成する。
【００２３】
この実施形態の場合、例えば、ペットの首輪にＩＣタグを取付け、ペット用のドア１１ｂを介してトイレ室１内及びトイレ室１外にそれぞれリーダを配置し、ペットがトイレ室１外からペット用のドア１１ｂを開けてトイレ室１内に入いる場合、ペットの首輪に取付けたＩＣタグの情報をまずトイレ室１外のリーダで読取り、次に、トイレ室１内のリーダで読み取ることで、ペットがトイレ室１内に入室したと判定し、また、ペットがトイレ室１内からペット用のドア１１ｂを開けてトイレ室１外に出た場合、ペットの首輪に取付けたＩＣタグの情報を上記入室時とは逆の順序でトイレ室１内、トイレ室１外のリーダで読取ることで、ペットがトイレ室１からトイレ室１外に退室したと判定するようになっている。
【００２４】
もちろんペット検知手段５としては、上記の例にのみ限定されず、ペット用のドア１１ｂにリミットスイッチを設けてペットの入退室を検知するもの、あるいは、赤外線を用いてペット用のドア１１ｂもしくはペット用出入口１０ｂの動線上にてペットの入退室を検知するもの、超音波を用いてペット動線上にて検知するもの等種々のものが考えられる。
【００２５】
人検知手段４で人のトイレ室１内への入室を検知すると、該人検知手段４による人の検知信号が制御部１２に送信され、制御部１２から出力される制御信号により人用の便器３ａに設けた人用の便蓋２ａが自動的に開く。この場合、ペット用の便蓋２ｂは閉じたままの状態となっており、トイレ室１に入室した人の目にペット用の便座７ｂが見えず、トイレ室１内の内観を良くしている。このように人のトイレ室１内への入室の検知により人用の便蓋２ａが自動的に開くので、人はトイレ室１内で人用の便座７ａに座って用を足したり、あるいは男子の小用の場合には手動で人用の便座７ａを開いて起立させることで小用を足したりする。人用の便器３ａ内に洗浄水を供給して汚物を洗い流すには手動操作で洗浄水供給用のレバーやスイッチを操作するが、人用の便座７ａに着座スイッチを設け、着座スイッチがオンとなり、次にオフとなった時点で自動的に人用の便器３ａ内に洗浄水を供給するようにしてもよい。
【００２６】
また、人検知手段４によりトイレ室１内からの人の退出を検知する（つまり、赤外線センサによる人の検知無くなるとトイレ室１から人が退出したとみなす）と、制御部１２から制御信号が出力され、人用の便蓋２ａが回動して自動的に閉じる。
【００２７】
一方、ペット検知手段５でペットのトイレ室１内の入室を検知すると、該ペット検知手段５によるペットの検知信号が制御部１２に送信され、制御部１２から出力される制御信号によりペット用の便器３ｂに設けたペット用の便蓋２ｂが自動的に開く。この場合、人用の便蓋２ａは閉じたままの状態となっており、ペットが誤って人用の便器３ａ内に入り込んだり、あるいは人用の便器３ａ内に溜まっている洗浄水を飲んだりすることがないようにしてある。ペットはあらかじめ、排泄に当たっては、トイレ室１内に入り、ペット用の便座７ｂの上に載って、ペット用の便座７ｂの中央孔部９ｂからペット用の便器３ｂ内に排泄するように躾されており、上記のように、ペットのトイレ室１内への入室を検知してペット用の便蓋２ｂが開くことで露出したペット用の便座７ｂの上に載り、中央孔部９ｂから排泄する。排泄が終わるとペットはペット用出入口１０ｂから外に出ることでトイレ室１から退室するのであるが、ペットのトイレ室１内への入室確認の後に、ペットのトイレ室１からの退室をペット検知手段５で検知することで、制御部１２からの制御信号によりペット用の便器３ｂの給水弁１６ｂを開く制御をしてペット用の便器３ｂ内に洗浄水を自動的に供給し、汚物を洗い流すと共に、ペット用の便蓋２ｂを回動して自動的に閉じるように制御される。
【００２８】
また、トイレ室１には消臭手段８が設けてある。消臭手段８としては例えば換気扇を挙げることができる。そして、人検知手段４、ペット検知手段５により人やペットのトイレ室１内への入室を検出すると、消臭手段８を構成する換気扇を運転してトイレ室１内の消臭を行い、人検知手段４、ペット検知手段５による人やペットのトイレ室１からの退室を検知した後、一定時間が経過した後に運転を停止するように制御するようになっている。また、人検知手段４、ペット検知手段５により人やペットのトイレ室１内への入室を検出し、次に、人検知手段４、ペット検知手段５による人やペットのトイレ室１からの退室を検知すると、消臭手段８を構成する換気扇を運転してトイレ室１内の消臭を行い、一定時間が経過した後に運転を停止するように制御するようにしてもよい。
【００２９】
ここで、ペット用の便座７ｂに重量センサ１７を設け、ペット検知手段５によりペットのトイレ室１内への入室を検知してペット用の便蓋２ｂを自動的に開にした状態で、上記重量センサ１７によりペット用の便座７ｂ上に荷重があることを検知している間は仮にペット検知手段５によりペットのトイレ室１からの退室を検知してもペット用の便蓋２ｂは閉じないようになっている。これは、例えば、ペットがペット用の便座７ｂの上に誤って排泄したような場合、ペットの退室の検知によりペット用の便蓋２ｂを回動して閉じると、ペット用の便蓋２ｂが排泄物で汚れてしまうので、このようなことを避けるためである。このため、ペット検知手段５によりペットのトイレ室１からの退室を検知しても、重量センサ１７でペット用の便蓋２ｂに排泄物のような異物が乗っていることを検知した場合には、ペット用の便蓋２ｂを開いたままにすると共に、音声、音、光等の報知手段１３によりペット用の便蓋２ｂに排泄物などの異物が載っていることを住宅内にいる人に知らせるようにする。
【００３０】
なお、ペット用の便器３ｂの掃除などをするに当たっては、ペット用の便蓋２ａ、ペット用の便座７ｂを手動で開けてペット用の便器３ｂの掃除をしたり、あるいはペット用の便蓋２ａやペット用の便座７ｂの掃除をするものである。
【００３１】
次に、本発明の他の実施形態を図５乃至図８に基いて説明する。
【００３２】
前述の実施形態では住宅のトイレ室１に人用の便器３ａとペット用の便器３ｂとをそれぞれ独立して設けた例を示してが、本実施形態においては、住宅のトイレ室１に設けた一つの便器３を人用とペット用とに共用できるようにしたものである。すなわち、トイレ室１に設置した便器３の上面部には図５（ａ）に示すように上から順に便蓋２、ペット用の便座７ｂ、人用の便座７ａが開閉自在に取付けてある。人用の便座７ａは人が座って用を足すことができるようになっており、ペット用の便座７ｂはペットがペット用の便座７ｂに載った状態でペット用の便座７ｂに設けた中央孔部９ｂから排泄できるようになっており、したがって、ペット用の便座７ｂの中央孔部９ｂは人用の便座７ａの中央孔部９ａよりも小さいものである。図８に示すように便蓋２、ペット用の便座７ｂはそれぞれ制御部１２からの制御信号により駆動するモータのような駆動手段１５により電動で回動できるようになっている。
【００３３】
本実施形態においても、前述の実施形態と同様に、トイレ室１に人が出入りするための人用出入口１０ａとペットが出入りするためのペット用出入口１０ｂとが設けてあり、また、前述の実施形態と同様に、人がトイレ室１内に入室したことを検知するための人検知手段４と、ペットがトイレ室１内に入室したことを検知するためのペット検知手段５とが設けてある。
【００３４】
しかして、本実施形態においては、人検知手段４で人のトイレ室１内への入室を検知すると、該人検知手段４による人の検知信号が制御部１２に送信され、制御部１２から出力される制御信号により図５（ｃ）のように、便器３に設けた便蓋２が自動的に開き、次に、ペット用の便座７ｂが自動的に開く。このように人のトイレ室１内への入室の検知により便蓋２、ペット用の便座７ｂが自動的に開くので、人はトイレ室１内で人用の便座７ａに座って用を足したり、あるいは男子の小用の場合には手動で人用の便座７ａを開いて起立させることで小用を足したりする。便器３内に洗浄水を供給して汚物を洗い流すには手動操作で洗浄水供給用のレバーやスイッチを操作して給水弁１６を開にして洗浄するが、人用の便座７ａに着座スイッチを設け、着座スイッチが人の荷重でオンとなり、次にオフとなった時点で自動的に給水弁１６から便器３内に洗浄水を供給するようにしてもよい。
【００３５】
また、人検知手段４によりトイレ室１内からの人の退出を検知すると、制御部１２から制御信号が出力され、ペット用の便座７ｂが回動して自動的に閉じ、続いて便蓋２が回動して自動的に閉じて図５（ａ）のようになる。
【００３６】
一方、ペット検知手段５でペットのトイレ室１内の入室を検知すると、該ペット検知手段５によるペットの検知信号が制御部１２に送信され、制御部１２から出力される制御信号により便器３に設けた便蓋２が自動的に開くことで、図５（ｂ）のようにペット用の便座７ｂが露出する。ペットはあらかじめ、ペット用の便座７ｂの上に載って、ペット用の便座７ｂの中央孔部９ｂからペット用の便器３ｂ内に排泄するように躾されており、上記のように、ペットのトイレ室１内への入室を検知して便蓋２が開くことで露出したペット用の便座７ｂの上に載り、中央孔部９ｂから排泄する。排泄が終わるとペットはペット用出入口１０ｂから外に出ることでトイレ室１から退室するのであるが、ペットのトイレ室１内への入室確認の後に、ペットのトイレ室１からの退室をペット検知手段５で検知することで、制御部１２からの制御信号により便器３の給水弁１６を開く制御をして便器３内に洗浄水を自動的に供給し、汚物を洗い流すと共に、便蓋２を回動して自動的に閉じるように制御される。
【００３７】
また、本実施形態においてもトイレ室１には消臭手段８が設けてあり、前述の実施形態と同様にして消臭手段８を運転制御して消臭するようになっている。
【００３８】
また、本実施形態においてもペット用の便座７ｂに重量センサ１７を設け、ペット検知手段５によりペットのトイレ室１内への入室を検知して便蓋２を自動的に開にした状態で、上記重量センサ１７によりペット用の便座７ｂ上に荷重があることを検知している間は仮にペット検知手段５によりペットのトイレ室１からの退室を検知してもペット用の便蓋２ｂは閉じないようになっていると共に、音声、音、光等の報知手段１３によりペット用の便蓋２ｂに排泄物などの異物が載っていることを住宅内にいる人に知らせるようになっている。
【００３９】
本実施形態においては、人検知手段４、ペット検知手段５によってトイレ室１内に入ったのが人であるか、ペットであるかをそれぞれ検知して、共通の便器３を、人が使用できる状態や、ペットが使用できる状態に切り替えることができるので、共通の便器３を使って人、ペットがそれぞれ用を足す（排泄する）ことができ、しかも、人とペットとが使用する便座を人、犬双方とも間違わないようにできるものである。
【図面の簡単な説明】
【００４０】
【図１】本発明の一実施形態を示し、（ａ）は人用検知手段で人を検知した際に人用の便蓋を開いた状態の説明図であり、（ｂ）はペット用検知手段でペットを検知した際にペット用の便蓋を開いた状態の説明図である。
【図２】（ａ）は同上の平面図であり、（ｂ）は同上のドアの正面図である。
【図３】同上の人用出入口とペット用出入口とが別位置にある例を示す平面図である。
【図４】同上の制御ブロック図である。
【図５】本発明の他の実施形態を示し、（ａ）は便座を開いていない状態の説明図であり、（ｂ）はペット用検知手段でペットを検知した際に便蓋を開いた状態の説明図であり、（ｃ）は人用検知手段で人を検知した際に便蓋、ペット用の便座を開いた状態の説明図である。
【図６】（ａ）は同上の平面図であり、（ｂ）は同上のドアの正面図である。
【図７】同上の人用出入口とペット用出入口とが別位置にある例を示す平面図である。
【図８】同上の制御ブロック図である。
【符号の説明】
【００４１】
１  トイレ室
２  便蓋
２ａ  便蓋
２ｂ  便蓋
３  便器
３ａ  便器
３ｂ  便器
４  人検知手段
５  ペット検知手段
６  排水管
７ａ  人用の便座
７ｂ  ペット用の便座
【図１】
2005211164.tif 000003
【図２】
2005211164.tif 000004
【図３】
2005211164.tif 000005
【図４】
2005211164.tif 000006
【図５】
2005211164.tif 000007
【図６】
2005211164.tif 000008
【図７】
2005211164.tif 000009
【図８】
2005211164.tif 000010